(57)【要約】【課題】簡易な構成で美顔効果に優れると共に周囲を濡らすことがない美顔器を提供する。【解決手段】本発明にかかる美顔器１は、液体を満たして顔を浸ける容器３と、ガスボンベ７と、ガスボンベ７を装着して供給するガス圧を制御するレギュレータ１３と、容器３内に設けた多孔質部材９と、レギュレータ１３と多孔質部材９を接続するガスパイプ２１とを備え、容器３内の液体は炭酸水であり、ガスボンベ７から供給されるガスを多孔質部材９を介して容器３の液体中に噴出することで、炭酸水から炭酸ガスの発生を促進し、顔面に付着した炭酸ガスの気泡を押し流す。【選択図】図１
2016039889.tif 000002
【特許請求の範囲】
【請求項１】
液体を満たして顔を浸ける容器と、容器内に設けた多孔質部材と、多孔質部材にガスパイプを介して気体を供給する気体供給手段とを備え、多孔質部材から容器の液体中に気体を噴出することで、細かい気泡を液体中に供給する美顔器であって、
容器に満たす液体は炭酸水であることを特徴とする美顔器。
【請求項２】
気体供給手段は、ポンプであり、ポンプにより圧縮空気を多孔質部材に供給することを特徴とする請求項１に記載の美顔器。
【請求項３】
気体供給手段は、ガスボンベと、ガスボンベを装着して供給するガス圧を制御するレギュレータとを備え、ガスボンベから供給されるガスを多孔質部材に供給することを特徴とする請求項１に記載の美顔器。
【請求項４】
ガスボンベから供給されるガスは二酸化炭素ガスであることを特徴とする請求項３に記載の美顔器。
【請求項５】
容器内に呼吸をする為の呼吸用ダクトを備え、呼吸用ダンクの一端部が水中にあり、呼吸用ダクトの他端部は大気中に開口してあり、顔を液体に浸けた状態で前記呼吸用ダクトの一端部を口に咥えて呼吸可能としてあることを特徴とする請求項１〜４のいずれか一項に記載の美顔器。
【発明の詳細な説明】
【技術分野】
【０００１】
本発明は、顔面を洗浄する美顔器に関する。
【背景技術】
【０００２】
特許文献１には、顔面に気泡を含むシャワーを噴出させて、顔面を洗浄する美顔器が開示されている。この特許文献１の技術では、貯水部に溜めた液体をポンプにより気泡生成器を介してシャワーヘッドに供給し、シャワーヘッドから顔面に向けて気泡を含む液体をシャワー水として噴出することが開示されている。
【先行技術文献】
【特許文献】
【０００３】
【特許文献１】特開平９−２７１４１２号公報
【発明の概要】
【発明が解決しようとする課題】
【０００４】
しかし、特許文献１に記載の美顔器は、シャワーヘッドを配置する容器とは別に液体を溜める貯水部を設けると共に、貯水部の液体を気泡発生部へ送る構成なので、構成が複雑になるという不都合がある。また、気泡生成器は多数の円板を重ねて細かく且つ複雑な流路を形成するので、装置が大型で複雑になるという問題がある。
また、シャワーを噴出するので、液体に顔面を浸ける場合に比較して、シャワーの噴出口から遠い位置にある顔面部分と近い位置にある顔面部分とでシャワーの当たりが異なり、顔面全体を効果的に洗浄し難いという不都合がある。
更に、容器と顔との隙間からシャワー水が漏れ出て周囲を濡らすおそれがある。
【０００５】
そこで、本発明は、簡易な構成で美顔効果に優れると共に周囲を濡らすことがない美顔器を提供することを目的とする。
【課題を解決するための手段】
【０００６】
前記課題を解決するために、請求項１に記載された発明は、液体を満たして顔を浸ける容器と、容器内に設けた多孔質部材と、多孔質部材にガスパイプを介して気体を供給する気体供給手段とを備え、多孔質部材から容器の液体中に気体を噴出することで、細かい気泡を液体中に供給する美顔器であって、容器に満たす液体は炭酸水であることを特徴とする美顔器である。
【０００７】
請求項２に記載された発明は、請求項１に記載の発明において、気体供給手段は、ポンプであり、ポンプにより圧縮空気を多孔質部材に供給することを特徴とする。
【０００８】
請求項３に記載された発明は、請求項１に記載の発明において、気体供給手段は、ガスボンベと、ガスボンベを装着して供給するガス圧を制御するレギュレータとを備え、ガスボンベから供給されるガスを多孔質部材に供給することを特徴とする。
【０００９】
請求項４に記載された発明は、請求項３に記載の発明において、ガスボンベから供給されるガスは二酸化炭素ガスであることを特徴とする。
【００１０】
請求項５に記載された発明は、請求項１〜４のいずれか一項に記載の発明において、容器内に呼吸をする為の呼吸用ダクトを備え、呼吸用ダンクの一端部が水中にあり、呼吸用ダクトの他端部は大気中に開口してあり、顔を液体に浸けた状態で前記呼吸用ダクトの一端部を口に咥えて呼吸可能としてあることを特徴とする。
【発明の効果】
【００１１】
請求項１に記載された発明は、容器内の液体は炭酸水であるから、顔を容器内の液体に浸けたときに顔面に微酸性の二酸化炭素の気泡が発生して付着するので、この気泡により皮膚の血行を促進すると共に抗菌作用を付与することができる。
また、二酸化炭素ガスの気泡はマイナスの電位に帯電し、プラス電位に帯電しやすい顔面皮膚の微細な汚れを吸着することができる。これにより、顔面の毛穴に付着している汚れ、皮脂や角質を除去することで美顔効果を高めることができる。
特に、炭酸水中に多孔質部材から気泡を噴出することで、炭酸水に刺激を与え、炭酸水中の溶存二酸化炭素の気泡化を誘発できると共に多孔質部材から供給した気泡が液体内を浮上し気泡の流れを生じさせるので、顔面に付着した二酸化炭素の気泡を押し流して水面に浮上させ、顔面の洗浄を促進できる。
容器に満たした液体に顔を浸けて使用するので、従来のシャワー水を当てる場合に比較して周囲にシャワー水が漏れ出て濡らすおそれがない。
【００１２】
請求項２に記載された発明によれば、請求項１に記載の作用効果を奏すると共に、気体供給手段が圧縮空気を送るポンプであるから、簡易な構成で且つ安価な気体供給手段を提供できる。
【００１３】
請求項３に記載された発明によれば、請求項１に記載の作用効果を奏すると共に、ガスボンベから多孔質部材にガスを供給することで容器の液体内に気泡を発生する構成であるから、ほとんど電力を使用することなく、簡易な構成で液体内に気泡を供給することができる。
【００１４】
請求項４に記載された発明によれば、請求項１に記載の作用効果を奏すると共に、ガスボンベから供給するガスは二酸化炭素ガス（炭酸ガス）とすることで、炭酸水から発生する炭酸ガスに加えて更に炭酸ガスを供給することで皮膚の血行の促進と抗菌作用を高めると共に長時間に亘って炭酸ガスを供給することができる。
【００１５】
請求項５に記載された発明によれば、請求項１〜４のいずれか一項に記載の作用効果を奏すると共に、容器の液体に顔面を浸した状態で呼吸できるので、長時間に亘って液体内の気泡を顔面に受けることができる。
【図面の簡単な説明】
【００１６】
【図１】本発明の第１実施の形態に係る美顔器の概略的構成を示す縦断面である。
【図２】図１に示す美顔器の平面図である。
【図３】本発明の第２実施の形態に係る美顔器の概略的構成を示す縦断面図である。
【図４】本発明の第３実施の形態に係る美顔器の概略的構成を示す縦断面図である。
【発明を実施するための形態】
【００１７】
以下に、添付図面の図１及び２を参照して本発明の第１実施の形態について説明する。本発明の第１実施の形態にかかる美顔器１は、容器３と、容器３の下に設けた台５と、気体供給手段としてのガスボンベ７を備えている。
容器３は透明樹脂製の椀型を成し、側面から容器内の様子が見えるようになっている。この容器３には液体が満たされている。
液体は、本実施の形態では水道水に炭酸パウダーを加えたものである。炭酸パウダーは、炭酸水素ナトリウムと炭酸ナタリウムとの混合粉体であるが、重炭酸水素ナトリウム（重曹）やクエン酸等を含むパウダーであっても良い。また、液体として、市販の炭酸水を用いるものであっても良い。
尚、図２に示す容器の凹み３ａは、使用後に容器３を傾けて液体を注ぎ出す注出口である。
容器３の底には多孔質部材９が固定してある。多孔質部材９は無数の細かい穴が形成された部材であり、例えば、多孔質セラミックス、多孔質アルミナ、軽石等である。この多孔質部材９を介して容器１３内の液体内にガスを供給することで、容器１３の液体内に微細な気泡を供給できる。
【００１８】
台５内には、電源１１、レギュレータ１３、開閉弁１５及びＬＥＤ装置１７が設けてある。
電源１１は本実施の形態では乾電池であり、台５の側面に設けてあるスイッチ１９によりＯＮ／ＯＦＦされるようになっている。
レギュレータ１３は、ガスボンベ７のヘッド７ａが装着されるものであり、装着されたガスボンベ７から供給されるガス圧を制御している。本実施の形態では、例えば、供給されるガス圧を０．３Ｐａに設定してある。
レギュレータ１３は、ガスパイプ２１により多孔質部材９に接続してあり、ガスパイプ２１は容器３の底に対してシールされている。
【００１９】
開閉弁１５はレギュレータ１３と多孔質部材９との間でガスパイプ２１に設けてあり、ガスパイプ２１の開閉をする。開閉弁１５は電磁弁であり、スイッチ１９のＯＮ／ＯＦＦに応答して開閉するようになっている。
開閉弁１５と多孔質部材９との間には、逆止弁２３が設けてあり、容器３内の液体がガスパイプ２１に逆流するのを防止している。
ガスボンベ７は、ガスを圧縮して封入してある。本実施の形態では、ヘッド７ａから底７ｂまでの寸法が約１５ｃｍ〜２０ｃｍであり、コンパクトなものを使用している。ガスボンベ７のガスは、二酸化炭素ガス、酸素ガス、窒素ガス、空気等を用いることができ、特に限定されないが、本実施の形態では、二酸化炭素ガスを用いている。
【００２０】
ＬＥＤ装置１７は、台５内で容器３の底に対応する位置に設けてある。図２に示すように、容器３の上から見ると、リング状にＬＥＤ（発光ダイオード）ランプ１７ａが配置してある。本実施の形態では、ＬＥＤランプ１７ａは青色ＬＥＤであり、容器底面から容器内の液体に青色の光を当てており、全体として液体が薄い青色に見えるようにしてある。
このＬＥＤ装置１７は、スイッチ１９に連動して、スイッチ１９をＯＮにすると発光し、ＯＦＦにすると消灯する。
【００２１】
次に、本実施の形態に係る美顔器１の使用方法、作用効果について説明する。
美顔器１の使用時には、レギュレータ１３にガスボンベ７を装着し、容器３内に液体を注入して満たす。液体は、水道水に炭酸パウダーを投入して軽く手でかき混ぜて炭酸水にする。容器３内の液体には、更に、ヒアルロン酸やコラーゲン等を配合したパウダー状又は液体の美容剤を混入しても良い。
そして、スイッチ１９を押してＯＮにすると、ＬＥＤ装置１７が点灯し、開閉弁１５が開いて、ガスボンベ７からレギュレータ１３を介して所定圧に制限されたガスが多孔質部材９から容器３内に供給される。
【００２２】
多孔質部材９から放出されるガスは、微細な気泡となり、容器３内の液体全体に亘って放出される。これにより、容器３内の炭酸水に刺激を与えて、炭酸水から析出する炭酸ガスの気泡の発生を誘発する。
一方、使用者は目を閉じて息を止め、容器３内の液体に顔面を浸け、数十秒間浸けた後、液体から顔をあげ、呼吸した後、再度息を止めて顔面を液体に浸ける。このように顔面を容器内の液体に浸漬することを複数回、例えば、４〜５回繰り返す。
【００２３】
本実施の形態によれば、容器３内の液体は炭酸水であるから、顔を容器３内の液体に浸けたときに顔面に微酸性の二酸化炭素の気泡が発生して付着するので、この気泡により皮膚の血行を促進する（ボーア効果）と共に抗菌作用を付与することができる。
また、水中に二酸化炭素ガスの気泡が発生するので、気泡がマイナスの電位に帯電し、プラス電位に帯電しやすい顔面皮膚の微細な汚れを吸着して、浮上することができる。これにより、顔面の毛穴に付着している汚れ、皮脂や角質を除去することで美顔効果を高めることができる。
特に、炭酸水中に多孔質部材９から気泡を噴出して、炭酸水に刺激を与え、炭酸水中の溶存二酸化炭素の気泡化を誘発できると共に多孔質部材から発生した多量の気泡が液体内を浮上して気泡の流れを生じさせ、顔面に付着した二酸化炭素の気泡を押し流して水面に浮上させ、顔面の洗浄を促進できる。また、多孔質部材９から供給する多量の気泡が顔面に当たる刺激により、顔面のマッサージ効果を付与することができる。
容器３に満たした液体に顔を浸けて使用するので、シャワーを当てる場合に比較して周囲を濡らすおそれがない。
【００２４】
ガスボンベ７から多孔質部材９にガスを供給することで容器３の液体内に多量の気泡を発生する構成であるから、ほとんど電力を使用することなく、簡易な構成で炭酸水から析出する気泡に加えて大量の気泡を発生して、気泡の流れを生じさせることができる。特に、本実施の形態では、スイッチ１９の入力により開閉弁１５を開き、ＬＥＤ装置１７の点灯にのみ電源を使用しているので、消費電力がほとんどかからない。
ガスボンベ７から供給するガスは二酸化炭素ガス（炭酸ガス）とすることで、炭酸水から発生する炭酸ガスに加えて更に炭酸ガスを供給することで皮膚の血行の促進と抗菌作用を長時間に亘って高めることができる。
使用中にＬＥＤランプ７ａを点灯させることで、容器内の気泡状態を確認し易いと共に水中に光を投じることで意匠性が良い。特に、使用により容器３内の液体表面に浮遊する汚れ等が見え難くなるので、清潔感を付与することができる。
【００２５】
以下に本発明の他の実施の形態を説明するが、以下に説明する実施の形態では、上述した第１実施の形態と同一の作用効果を奏する部分には同一の符号を付し、第１実施の形態と主に異なる点を説明する。
図３に本発明の第２実施の形態を示す。この第２実施の形態では、呼吸をする為の呼吸用ダクト２７を設けたことが第１実施の形態と異なっている。呼吸ダクト２７はその一端部２７ａを容器３内に配置してあり、呼吸用ダクト２７の他端部２７ｂは大気中に開口してある。尚、この第２実施の形態では、呼吸ダクト２７は、容器３の壁を貫通する構成としている。
また、レギュレータ１３に装着するガスボンベ７は、噴出口７ａを上にして角度Ｒで傾斜して取り付けている。レギュレータ１３の位置や台５の大きさによっても異なるが、角度Ｒは１０〜３０度が好ましく、台５にコンパクに収める角度として２０〜２５°がより好ましい。
【００２６】
使用時には、顔を液体に浸けた状態で呼吸用ダクト２７の一端部２７ａを口に咥えて呼吸する。
この第２実施の形態では、上述した第１実施の形態と同様な作用効果を奏すると共に、容器３の液体に顔面を浸した状態で呼吸できるので、長時間に亘って液体内の気泡を顔面に受けることができる。
また、ガスボンベ７は噴出口７ａを上にして傾斜しているので、液化又は固体化してガスボンベ内に封入しているガスを噴出する場合に、噴出口７ａからガスを良好にて噴出できる。
【００２７】
図４を参照して本発明の第３実施の形態を説明する。この第３実施の形態では、気体供給手段として、空気を圧縮するポンプ３１を用いており、ポンプ３１から多孔質部材９に空気を供給するものである。ポンプ３１は、ダイヤフラム式のポンプであり、モータの回転によりダイヤフラムを往復動させて空気を圧縮するものである。
この第３実施の形態では、多孔質部材９から放出される空気は、大量の微細な気泡となり、容器３内の液体全体に亘って放出される。これにより、容器３内の炭酸水に刺激を与えて、炭酸水から析出する炭酸ガスの気泡の発生を誘発できる。
【００２８】
容器３内の液体は炭酸水であるから、顔を容器３内の液体に浸けたときに顔面に微酸性の二酸化炭素の気泡が発生して付着するので、この気泡により皮膚の血行を促進する（ボーア効果）と共に抗菌作用を付与することができる。
また、炭酸水中に二酸化炭素ガスの気泡が発生するので、気泡がマイナスの電位に帯電し、プラス電位に帯電しやすい顔面皮膚の微細な汚れを吸着して、浮上することができる。これにより、顔面の毛穴に付着している汚れ、皮脂や角質を除去することで美顔効果を高めることができる。
特に、炭酸水中に多孔質部材９から多量の気泡を噴出し、これらの気泡が液体内を浮上して気泡の流れを生じさせ、顔面に付着した二酸化炭素の気泡を押し流して水面に浮上させ、顔面の洗浄を促進できる。また、多孔質部材９から供給する多量の気泡が顔面に当たる刺激により、顔面のマッサージ効果を付与することができる。
【００２９】
容器３に満たした液体に顔を浸けて使用するので、シャワーを当てる場合に比較して周囲を濡らすおそれがない。
使用中にＬＥＤランプ７ａを点灯させることで、容器内の気泡状態を確認し易いと共に水中に光を投じることで意匠性が良い。特に、使用により容器３内の液体表面に浮遊する汚れ等が見え難くなるので、清潔感を付与することができる。
また、第１及び第２実施の形態と異なり、第３実施の形態によれば、ポンプ３１が空気中の気体を圧縮して多孔質部材９に供給するので、ガスボンベ７（図１及び図２参照）を用いない分、簡易で安価な美顔器を提供できる。
【００３０】
本発明は、前述した実施形態に限定されず、その要旨を逸脱しない範囲で種々変形可能である。
例えば、ＬＥＤ装置１７は、なくても良い。この場合には、更に構成が簡易で且つ消費電力を低減することができる。
第１及び第２実施の形態において、開閉弁１５は、電力で開閉することに限らず、押し操作したスイッチ１９に機械的に連動する構成としても良い。
【符号の説明】
【００３１】
１    美顔器
３    容器
７    ガスボンベ（気体供給手段）
９    多孔質部材
２１  ガスパイプ
２７  呼吸ダクト
３１  ポンプ（気体供給手段）
【図１】
2016039889.tif 000003
【図２】
2016039889.tif 000004
【図３】
2016039889.tif 000005
【図４】
2016039889.tif 000006